【手続補正書】
【提出日】平成15年8月15日(2003.8.15)
【手続補正１】
【補正対象書類名】明細書
【補正対象項目名】発明の名称
【補正方法】変更
【補正の内容】
【発明の名称】プリペイドカードシステム、読書装置及び使用許可方法


【手続補正２】
【補正対象書類名】明細書
【補正対象項目名】特許請求の範囲
【補正方法】変更
【補正の内容】
【特許請求の範囲】
【請求項１】
複数の可変情報領域を有するプリペイドカードを用いて金銭的決済を行うプリペイドカードシステムにおいて、
プリペイドカードの第一の可変情報領域のうち、有意情報が書き込まれない端部部位の読取情報を暗号鍵として、
金額情報が書き込まれた第二の可変情報領域の記憶情報を復号し、
正常に復号することができない場合には不正と識別して排除し、
正常に復号することができた場合には、前記金額情報を消費金額に応じて更新し、
前記有意情報が書き込まれない端部部位の近傍に強磁界を作用させた後に、該端部部位の記憶情報を読取って、該読取情報を新たな暗号鍵として前記更新した金額情報を暗号化して前記第二の可変情報領域に記憶させるとともに、
前記消費金額を含む売上情報を生成する複数の読書手段と、
前記読書手段から前記プリペイドカードの消費金額を含む売上情報を収集処理する上位処理手段と、
を備えることを特徴とするプリペイドカードシステム。
【請求項２】
前記読書手段は、
プリペイドカードの前記第一の可変情報領域及び前記第二の可変情報領域からの記憶情報の読出し及び前記第一の可変情報領域の端部部位の記憶情報の読取り、並びに前記金額情報の前記第二の可変情報領域への書込みを行うリーダ／ライタ手段と、
前記リーダ／ライタ手段を介して、前記第一の可変情報領域の端部部位からの読取情報を得て、該読取情報を暗号鍵として前記第二の可変情報領域から得られる読出情報を復号して、復号の成否を識別し、且つ前記第一の可変情報領域の端部部位に強磁界を作用させた後に、前記第一の可変情報領域の端部部位からの読取情報を新たな暗号鍵として前記金額情報を前記第二の可変情報領域へ書き込む暗号処理手段と、
前記暗号処理手段による復号結果に基づいて前記プリペイドカードの不正を識別して排除するとともに、不正でない場合には、前記リーダ／ライタ手段及び暗号処理手段を介して、消費金額に応じた前記金額情報の前記第二の可変情報領域への書込みを行わせる消費制御手段と、
を含むことを特徴とする請求項１に記載のプリペイドカードシステム。
【請求項３】
プリペイドカードを処理する読書装置であって、
プリペイドカードの第一の可変情報領域のうち、有意情報が書き込まれない端部部位の読取情報を暗号鍵として、
金額情報が書き込まれた第二の可変情報領域の記憶情報を復号し、
正常に復号することができない場合には不正と識別して排除し、
正常に復号することができた場合には、前記金額情報を消費金額に応じて更新し、
前記有意情報が書き込まれない端部部位の近傍に強磁界を作用させた後に、該端部部位の記憶情報を読み取って、該読取情報を新たな暗号鍵として前記更新した金額情報を暗号化して前記第二の可変情報領域に記憶させる、
ことを特徴とする読書装置。
【請求項４】
複数の可変情報領域を有するプリペイドカードを用いて金銭的決済を行うプリペイドカードシステムにおける使用許可方法において、
金額情報を消費金額に応じて更新する際に、第一の可変情報領域において有意情報が書き込まれていない端部部位に強磁界を作用させた後に、当該端部部位の記憶情報を読取って、該読取情報を暗号鍵として前記金額情報を該プリペイドカードの第二の可変情報領域に記憶させ、
新たにセットされたプリペイドカードの前記第一の可変情報領域において有意情報が書き込まれていない端部部位の情報を読み取り、
該読取情報を暗号鍵として前記第二の可変情報領域の記憶情報を復号して、該復号の成否により不正を識別して排除することを特徴とする使用許可方法。
【手続補正３】
【補正対象書類名】明細書
【補正対象項目名】０００１
【補正方法】変更
【補正の内容】
【０００１】
【発明の属する技術分野】
本発明は、プリペイドカードを金額消費に応じて処理するシステムに係り、特にプリペイドカードの変造による不正使用に対処するプリペイドカードシステム、読書装置及び使用許可方法に関する。


【手続補正４】
【補正対象書類名】明細書
【補正対象項目名】００１０
【補正方法】変更
【補正の内容】
【００１０】
本発明は、上述した事情に鑑みてなされたもので、プリペイドカードの金額情報のデッドコピーによる変造の不正を、簡単な構成及び処理で確実にしかも容易に識別して、不正を未然に防止し得るプリペイドカードシステム、読書装置及び使用許可方法を提供することを目的とする。


【手続補正５】
【補正対象書類名】明細書
【補正対象項目名】００１１
【補正方法】変更
【補正の内容】
【００１１】
【課題を解決するための手段】
上記目的を達成するため、本発明の第１の観点に係るプリペイドカードシステムは、
複数の可変情報領域を有するプリペイドカードを用いて金銭的決済を行うプリペイドカードシステムにおいて、
プリペイドカードの第一の可変情報領域のうち、有意情報が書き込まれない端部部位の読取情報を暗号鍵として、
金額情報が書き込まれた第二の可変情報領域の記憶情報を復号し、
正常に復号することができない場合には不正と識別して排除し、
正常に復号することができた場合には、前記金額情報を消費金額に応じて更新し、
前記有意情報が書き込まれない端部部位の近傍に強磁界を作用させた後に、該端部部位の記憶情報を読取って、該読取情報を新たな暗号鍵として前記更新した金額情報を暗号化して前記第二の可変情報領域に記憶させるとともに、
前記消費金額を含む売上情報を生成する複数の読書手段と、
前記読書手段から前記プリペイドカードの消費金額を含む売上情報を収集処理する上位処理手段と、
を備える。


【手続補正６】
【補正対象書類名】明細書
【補正対象項目名】００１２
【補正方法】変更
【補正の内容】
【００１２】
このような構成によれば、プリペイドカードの金額情報の更新時に、第一の可変情報領域における端部の有意情報が書き込まれない部位に強磁界を作用させた後に、当該端部部位における磁気情報を読み取り、この読取情報を暗号鍵として用いて第二の可変情報領域に対する暗号化書込みを行うので、プリペイドカードをセットした際に、当該端部部位の磁気情報を読み取って、該読取情報を暗号鍵として用いて第二の可変情報領域に書き込まれた金額情報の読出し復号を行うことにより、プリペイドカードの金額情報の書換えによる残額の変更の不正を、簡単な構成及び処理で確実にしかも容易に識別して、不正を未然に防止することが可能となる。


【手続補正７】
【補正対象書類名】明細書
【補正対象項目名】００１３
【補正方法】変更
【補正の内容】
【００１３】
前記読書手段は、
プリペイドカードの前記第一の可変情報領域及び第二の可変情報領域からの記憶情報の読出し及び前記第一の可変情報領域の端部部位の記憶情報の読取り、並びに前記金額情報の前記第二の可変情報領域への書込みを行うリーダ／ライタ手段と、
前記リーダ／ライタ手段を介して、前記第一の可変情報領域の端部部位からの読取情報を得て、該読取情報を暗号鍵として前記第二の可変情報領域から得られる読出情報を復号して、復号の成否を識別し、且つ前記第一の可変情報領域の端部部位に強磁界を作用させた後に、前記第一の可変情報領域の端部部位からの読取情報を新たな暗号鍵として前記金額情報を前記第二の可変情報領域へ書き込む暗号処理手段と、
前記暗号処理手段による復号結果に基づいて前記プリペイドカードの不正を識別して排除するとともに、不正でない場合には、前記リーダ／ライタ手段及び暗号処理手段を介して、消費金額に応じた前記金額情報の前記第二の可変情報領域への書込みを行わせる消費制御手段と、
を含んでいてもよい。


【手続補正８】
【補正対象書類名】明細書
【補正対象項目名】００１４
【補正方法】変更
【補正の内容】
【００１４】
また、本発明の第２の観点に係る読書装置は、
プリペイドカードを処理する読書装置であって、
プリペイドカードの第一の可変情報領域のうち、有意情報が書き込まれない端部部位の読取情報を暗号鍵として、
金額情報が書き込まれた第二の可変情報領域の記憶情報を復号し、
正常に復号することができない場合には不正と識別して排除し、
正常に復号することができた場合には、前記金額情報を消費金額に応じて更新し、
前記有意情報が書き込まれない端部部位の近傍に強磁界を作用させた後に、該端部部位の記憶情報を読み取って、該読取情報を新たな暗号鍵として前記更新した金額情報を暗号化して前記第二の可変情報領域に記憶させる。
また、本発明の第３の観点に係る使用許可方法は、
複数の可変情報領域を有するプリペイドカードを用いて金銭的決済を行うプリペイドカードシステムにおける使用許可方法において、
金額情報を消費金額に応じて更新する際に、第一の可変情報領域において有意情報が書き込まれていない端部部位に強磁界を作用させた後に、当該端部部位の記憶情報を読取って、該読取情報を暗号鍵として前記金額情報を該プリペイドカードの第二の可変情報領域に記憶させ、
新たにセットされたプリペイドカードの前記第一の可変情報領域において有意情報が書き込まれていない端部部位の情報を読み取り、
該読取情報を暗号鍵として前記第二の可変情報領域の記憶情報を復号して、該復号の成否により不正を識別して排除することを特徴としている。


【手続補正９】
【補正対象書類名】明細書
【補正対象項目名】００１５
【補正方法】変更
【補正の内容】
【００１５】
このようにすれば、プリペイドカードの金額情報の更新時に、第一の可変情報領域における端部の有意情報が書き込まれない部位に強磁界を作用させた後に、当該端部部位における磁気情報を読み取り、この読取情報を暗号鍵として用いて第二の可変情報領域に対する暗号化書込みを行い、プリペイドカードをセットした際に、当該端部部位の磁気情報を読み取って、該読取情報を暗号鍵として用いて第二の可変情報領域に書き込まれた金額情報の読出し復号を行うことにより、プリペイドカードの金額情報の書換えによる残額の変更の不正を、簡単な構成及び処理で確実にしかも容易に識別することができる。